【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】
放射線源から照射された放射線により潜像が形成された輝尽性蛍光体プレートに励起光を照射することによって輝尽光を放出させ、該輝尽光に基づいて放射線画像を読み取り、画像処理を施して出力する放射線画像処理装置において、
前記輝尽光に基づいてアナログ画像信号を副走査方向において所定間隔で読み取る読取手段と、
前記読取手段により読み取られたアナログ画像信号をサンプリングするサンプリング手段と、
前記サンプリング手段によりサンプリングされたアナログ画像信号をデジタル画像データに変換する変換手段と、
前記読取手段により副走査方向において所定間隔で読み取られたアナログ画像信号のナイキスト周波数に基づき、前記デジタル画像データの副走査方向において所定の周波数成分を遮断するフィルタを記憶する記憶手段と、
前記デジタル画像データを前記フィルタにより処理して出力データを生成するフィルタ処理手段と、
を備えることを特徴とする放射線画像処理装置。
【請求項２】
前記サンプリング手段は、前記読取手段により読み取られたアナログ画像信号をサンプリングする第１のサンプリング系と、該第１のサンプリング系よりも高精度で前記アナログ信号をサンプリングする第２のサンプリング系とを備え、
前記サンプリング手段を制御して前記第１のサンプリング系又は前記第２のサンプリング系により前記アナログ信号をサンプリングさせる制御手段を備えることを特徴とする請求項１記載の放射線画像処理装置。
【請求項３】
前記記憶手段は、前記ナイキスト周波数以上の周波数帯域において、前記デジタル画像データの副走査方向における信号の透過を完全に遮断するフィルタを記憶することを特徴とする請求項１記載の放射線画像処理装置。
【請求項４】
前記記憶手段は、前記ナイキスト周波数未満の所定の周波数において、前記デジタル画像データの副走査方向における信号の透過の制限を開始し、前記ナイキスト周波数を超える前記ナイキスト周波数近傍の所定の周波数以上の周波数帯域において前記デジタル画像データの副走査方向における信号の透過を完全に遮断するフィルタを記憶することを特徴とする請求項１記載の放射線画像処理装置。
【請求項５】
前記記憶手段は、前記デジタル画像データの副走査方向において、前記ナイキスト周波数を含む特定の周波数帯域の信号を遮断するフィルタを記憶することを特徴とする請求項１記載の放射線画像処理装置。
【請求項６】
前記フィルタを算出して前記記憶手段に記憶させる記憶制御手段を備えることを特徴とする請求項１〜５の何れか一項に記載の放射線画像処理装置。
【請求項７】
放射線源から照射された放射線により潜像が形成された輝尽性蛍光体プレートに励起光を照射することによって輝尽光を放出させ、該輝尽光に基づいて放射線画像を読み取り、画像処理を施して出力する放射線画像処理方法において、
前記輝尽光に基づいてアナログ画像信号を副走査方向において所定間隔で読み取る工程と、
前記アナログ画像信号をサンプリングする工程と、
前記サンプリングにより得られたアナログ画像信号をデジタル画像データに変換する工程と、
前記副走査方向において所定間隔で読み取られたアナログ画像信号のナイキスト周波数に基づき、前記デジタル画像データの副走査方向において所定の周波数成分を遮断して出力データを生成する工程と、
を含むことを特徴とする放射線画像処理方法。
【手続補正２】
【補正対象書類名】明細書
【補正対象項目名】００１６
【補正方法】変更
【補正の内容】
【００１６】
請求項７記載の発明は、
放射線源から照射された放射線により潜像が形成された輝尽性蛍光体プレートに励起光を照射することによって輝尽光を放出させ、該輝尽光に基づいて放射線画像を読み取り、画像処理を施して出力する放射線画像処理方法において、
前記輝尽光に基づいてアナログ画像信号を副走査方向において所定間隔で読み取る工程と、
前記アナログ画像信号をサンプリングする工程と、
前記サンプリングにより得られたアナログ画像信号をデジタル画像データに変換する工程と、
前記副走査方向において所定間隔で読み取られたアナログ画像信号のナイキスト周波数に基づき、前記デジタル画像データの副走査方向において所定の周波数成分を遮断して出力データを生成する工程と、
を含むことを特徴としている。
【手続補正３】
【補正対象書類名】明細書
【補正対象項目名】００１７
【補正方法】変更
【補正の内容】
【００１７】
請求項１及び７記載の発明によれば、画像信号を副走査方向において高精度で読み取る専用の読取機構を設けることなく、副走査方向における折り返しノイズを除去又は低減してモアレの発生を防ぎ、画質の良い放射線画像を出力することができる。また、製造コストを抑えるともに、ノイズを除去又は低減する処理に要する時間を短縮することができる。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】変更
【補正の内容】
【００２９】
請求項６記載の発明は、請求項１〜５の何れか一項に記載の発明において、
前記フィルタを算出して前記記憶手段に記憶させる記憶制御手段を備えることを特徴としている。
【手続補正８】
【補正対象書類名】明細書
【補正対象項目名】００３０
【補正方法】変更
【補正の内容】
【００３０】
請求項６記載の発明によれば、必要なフィルタを算出し、算出したフィルタを利用してノイズを遮断又は低減して画質の良い放射線画像を出力することができる。
【手続補正９】
【補正対象書類名】明細書
【補正対象項目名】００３１
【補正方法】変更
【補正の内容】
【００３１】
【発明の実施の形態】
以下、図を参照して本発明に係る実施の形態を詳細に説明する。ここで、以下の実施の形態における放射線画像処理装置１０は、以上の請求項に記載の放射線画像処理装置としての機能を有し、ＣＰＵ１１は、以上の請求項に記載の制御手段、記憶制御手段としての機能を有し、記憶部１７は記憶手段としての機能を有し、読取制御部２１は読取手段、サンプリング手段、変換手段、フィルタ処理手段としての機能を有する。
【手続補正１０】
【補正対象書類名】明細書
【補正対象項目名】００３２
【補正方法】変更
【補正の内容】
【００３２】
まず、構成を説明する。
図１は、本実施の形態における放射線画像処理装置１０の機能的構成を示すブロック図である。図１において、放射線画像処理装置１０は、ＣＰＵ１１、入力部１２、表示部１３、通信制御部１４、画像処理部１５、ＲＡＭ１６、記憶部１７、撮影制御部１８、画像読取部２０、放射線源３０から構成され、更に画像読取部２０は、読取制御部２１、撮影パネル２２から構成される。
【手続補正１１】
【補正対象書類名】明細書
【補正対象項目名】００８０
【補正方法】変更
【補正の内容】
【００８０】
また、上記実施の形態において、放射線画像処理装置１０の細部構成、及び細部動作に関しても、本発明の趣旨を逸脱することのない範囲で適宜変更可能である。
【手続補正１２】
【補正対象書類名】明細書
【補正対象項目名】００８１
【補正方法】変更
【補正の内容】
【００８１】
【発明の効果】
請求項１及び７記載の発明によれば、画像信号を副走査方向において高精度で読み取る専用の読取機構を設けることなく、副走査方向における折り返しノイズを除去又は低減してモアレの発生を防ぎ、画質の良い放射線画像を出力することができる。また、製造コストを抑えるともに、ノイズを除去又は低減する処理に要する時間を短縮することができる。
【手続補正１３】
【補正対象書類名】明細書
【補正対象項目名】００８６
【補正方法】削除
【補正の内容】
【手続補正１４】
【補正対象書類名】明細書
【補正対象項目名】００８７
【補正方法】変更
【補正の内容】
【００８７】
請求項６記載の発明によれば、必要なフィルタを算出し、算出したフィルタを利用してノイズを遮断又は低減して画質の良い放射線画像を出力することができる。
【手続補正１５】
【補正対象書類名】明細書
【補正対象項目名】図面の簡単な説明
【補正方法】変更
【補正の内容】
【図面の簡単な説明】
【図１】
放射線画像処理装置１０の機能的構成を示すブロック図である。
【図２】
図２（ａ）はノイズ完全遮断処理においてＣＰＵ１１により使用されるフィルタ形状を示す図であり、図２（ｂ）は図２（ａ）に示すフィルタが６４タップ構成である場合のフィルタ係数を示すグラフであり、図２（ｃ）は図２（ｂ）のフィルタ係数の数値を示す表である。
【図３】
図３（ａ）はノイズ低減処理において図１のＣＰＵ１１により使用されるフィルタ形状を図であり、図３（ｂ）は図３（ａ）に示すフィルタが６４タップ構成である場合のフィルタ係数を示すグラフであり、図３（ｃ）は図３（ｂ）のフィルタ係数の数値を示す表である。
【図４】
図４（ａ）は高周波ノイズ遮断処理において図１のＣＰＵ１１により使用されるフィルタの形状の一例を示す図であり、図４（ｂ）は（ａ）に示すフィルタが６４タップ構成である場合のフィルタ係数を示すグラフであり、図４（ｃ）は（ｂ）のフィルタ係数の数値を示す表である。
【図５】
図５（ａ）は特定周波数遮断処理において図１のＣＰＵ１１により使用されるフィルタの形状の一例を示す図であり、図４（ｂ）は（ａ）に示すフィルタが６４タップ構成である場合のフィルタ係数を示すグラフであり、図４（ｃ）は（ｂ）のフィルタ係数の数値を示す表である。
【図６】
図１のＣＰＵ１１によるノイズ完全遮断処理を示すフローチャートである。
【図７】
図１のＣＰＵ１１によるノイズ低減処理を示すフローチャートである。
【図８】
図１のＣＰＵ１１による高周波ノイズ遮断処理を示すフローチャートである。
【図９】
図１のＣＰＵ１１による特定周波数遮断処理を示すフローチャートである。
【図１０】
図１０（ａ）は、従来の放射線画像処理装置において、アナログ画像信号の副走査方向を１２５μｍ間隔で読み取った場合に発生する折り返しノイズを示す図であり、図１０（ｂ）は、画像信号を２５０μｍ間隔で読み取った場合に発生する折り返しノイズを示す図である。
【手続補正１６】
【補正対象書類名】明細書
【補正対象項目名】符号の説明
【補正方法】変更
【補正の内容】
【符号の説明】
１０  放射線画像処理装置
１１  ＣＰＵ
１２  入力部
１３  表示部
１４  通信制御部
１５  画像処理部
１６  ＲＡＭ
１７  記憶部
１８  撮影制御部
２０  画像読取部
２１  読取制御部
２２  撮影パネル
３０  放射線源
Ｍ  被写体
Ｒ１，Ｒ２  読取系